(57)【要約】【課題】ユーザによる光ディスク種別、アクセス属性、記録面の方向の誤認による光ディスクドライブでのアクセスエラーを回避可能とし、光ディスクの種別、アクセス属性に基づいたデバイスドライバソフトウェアを自動選択可能とする。【解決手段】ライブラリ装置内の光ディスク収納棚５に光ディスク４を収納する前に、光ディスクを載せるトレイ３に設けられた判別穴３ａ〜３ｄにより、個々の光ディスクの種別及び記録面の方向（片面／両面）を判別後、トレイ３に光ディスクをのせた状態で、光ディスク収納棚に搬送、収納時、光ディスク収納棚から光ディスクドライブへの搬送中に、光ディスク搬送機構１に取り付けられた光センサ２（ＬＥＤ発光、受光素子使用）によりトレイ３の穴の有無（開閉）及び光ディスクの中心穴周辺の光透過部分の有無を検出し、光ディスクの種別情報、記録面の方向の情報を取得する。【選択図】      図１
2004199844.tif 000002
【特許請求の範囲】
【請求項１】
ベアディスク状態の複数種の光ディスクを扱うライブラリ装置において、光ディスクの種別を判定するための判別穴を有する光ディスク載置用のトレイを光ディスクを載置した状態で複数枚収納する光ディスク収納棚と、前記光ディスクに対して記録または再生を行う光ディスクドライブと、光ディスクの搬送時に前記トレイ上の判別穴の有無、及び、光ディスクの中心穴周辺の光透過部分の有無を検出して、光ディスクの種別を判別する光ディスク判別回路を有する光ディスク搬送機構とを備えることを特徴とするライブラリ装置。
【請求項２】
前記光ディスク載置用のトレイに設けられる判別穴は、光ディスクの種別、アクセス属性、記録面の方向情報を光が透過するか否かにより判別させるようにした穴であることを特徴とする請求項１記載のライブラリ装置。
【請求項３】
ライブラリ装置外部で前記トレイを光ディスクを載置した状態で複数枚保管可能なカートリッジの挿入口を有し、前記カートリッジが、前記光ディスク収納棚や光ディスクドライブへの前記光ディスクを載置したトレイの搬入元、排出先となることを特徴とする請求項１または２記載のライブラリ装置。
【請求項４】
前記光ディスク搬送機構は、前記カートリッジと光ディスク収納棚との間、及び、前記光ディスク収納棚と前記光ディスクドライブとの間で、前記光ディスクが載置されたトレイを搬送することを特徴とする請求項３記載のライブラリ装置。
【発明の詳細な説明】
【０００１】
【発明の属する技術分野】
本発明は、ベアディスク状態の光ディスクを扱うライブラリ装置に係り、特に、複数種の光ディスクを取り扱うことができる光ディスクドライブを搭載し、複数種の光ディスクを混在運用することが可能なライブラリ装置に関する。
【０００２】
【従来の技術】
一般に、光ディスクを運用するライブラリ装置には、取り扱う光ディスクそのものがカートリッジに入ったものを扱う装置と、カートリッジに入っていないベアディスク状態のディスクを扱う装置とがある。光ディスクそのものがカートリッジに入っていないディスクを扱うライブラリ装置は、通常、上面が開放された皿状のトレイに光ディスクを載せ、このトレイをライブラリ装置の内部で搬送することにより、光ディスクをドライブにセットして運用している。
【０００３】
光ディスクそのものがカートリッジに入っていないベアディスク状態のディスクを扱うライブラリ装置として、光ディスクを載置することができるトレイを使用し、光ディスクに対して記録あるいは再生を行うために１または複数の光ディスクドライブと、光ディスクを載置したトレイを複数枚収納可能な光ディスク収納棚と、光ディスクを載置したトレイを光ディスクドライブと光ディスク収納棚との間に搬送する搬送機構とを備えたものが知られている。
【０００４】
図７はベアディスク状態の光ディスクを扱う従来技術によるライブラリ装置の構成の概要を説明する図、図８は図７に示すライブラリ装置内での光ディスクの搬送について説明する図であり、以下、図７、図８を参照して、従来技術のライブラリ装置の構成を説明する。図７、図８において、１は光ディスク搬送機構、１ａ、１ｂは支持シャフト、４は光ディスク、５は光ディスク収納棚、６は光ディスクドライブ、７は光ディスク反転機構、８はライブラリ装置、８ａは駆動機構、９は外部保管用カートリッジ、１０はトレイである。
【０００５】
従来技術によるライブラリ装置８は、図７に示すように、本体を構成する筐体の内部に、光ディスク４を載置している皿状のトレイ１０を複数枚収納する複数の光ディスク収納棚５と、光ディスクに対する再生または記録の操作を行う１または複数の光ディスクドライブ６と、図７には示していないが、光ディスク４が載置されたトレイ１０を複数枚収納可能な外部保管用カートリッジ９を挿入する挿入口と、光ディスク４を載置したトレイ１０を、外部保管用のカートリッジ９とライブラリ装置内部の光ディスク収納棚５、光ディスクドライブ６との間、あるいは、ライブラリ装置内部での光ディスク収納棚５と光ディスクドライブ６との間で搬送する光ディスク搬送機構１と、記録面が両面タイプの光ディスクを扱う場合にディスクを反転させる光ディスク反転機構７とを備えて構成される。
【０００６】
図７には、前述したライブラリ装置８の内部に備えられる各種の機器をライブラリ装置の周辺に示しており、次に、これらの個々の機能について説明する。
【０００７】
トレイ１０は、光ディスク４の記録面に相当する部分を穴状に形成し、この穴のエッジ部で光ディスクの周辺部を支持することができるように構成されている。このトレイは、常に、光ディスク４を載置した状態で、光ディスク収納棚５、外部保管用カートリッジ９に格納され、また、光ディスク搬送機構により搬送される。
【０００８】
光ディスク反転機構７は、両面に記録面を有する光ディスクを必要により反転させる機構であり、ドラム機構を有し、ディスク反転機構７のドラム機構が回転することにより、光ディスクの載っていないトレイ１０に、光ディスクを載置したトレイ１０から、光ディスクの記録面を反転して載せ換える機構である。
【０００９】
光ディスク収納棚５は、５０枚の光ディスクを載置したトレイ１０を収納可能に構成される。ライブラリ装置８には、このような光ディスク収納棚５が８台、図示例では、筐体の内部の両側壁に沿って４台づつ設置される。
【００１０】
光ディスクドライブ６は、挿入された光ディスクの種別、アクセス属性等を判別して、複数種の光ディスクの読み取り、書き込みを行うことが可能に構成されている。
【００１１】
外部保管用カートリッジ９は、通常、１０枚の光ディスクを載置したトレイ１０を収納可能に構成され、ライブラリ装置８に収納しきれない、あるいは、使用頻度が低く、常時ライブラリ装置８に収納しておく必要のない光ディスクを外部に保管するために使用される。
【００１２】
ライブラリ装置８の内部の光ディスク搬送機構１は、駆動機構８ａや図示していないモータ、ギア等からなる駆動機構により、図８に示す支持シャフト１ａ、１ｂに沿って垂直方向に駆動され、垂直方向に稼動中、トレイ１０を光ディスク搬送機構１に保持しつつ、カートリッジ９がライブラリ装置に挿入時には、カートリッジ９内部の各トレイ１０に対向する位置、光ディスク収納棚５に収納された各トレイ１０に対向する位置、あるいは、光ディスクドライブ６のトレイ挿入口に位置決めされる。また、光ディスク搬送機構１は、図示しないモータ、ギヤ等により水平方向に駆動する駆動機構により、外部保管用カートリッジ９、光ディスク収納棚５、光ディスクドライブ６との間でトレイ１０の出し入れを行う。
【００１３】
次に、前述したように構成される従来技術によるライブラリ装置の動作について説明する。
【００１４】
ライブラリ装置の電源が投入されると、ライブラリ装置は、一連の初期化動作の１つとして、外部保管用カートリッジ９と、光ディスク収納棚５とのそれぞれにトレイ１０が入っているか否かを調べるため、（１）外部保管用カートリッジ９と光ディスク搬送機構１との間でトレイ１０を出し入れする動作、（２）光ディスク収納棚５と光ディスク搬送機構１との間でトレイ１０を出し入れする動作を行う。
【００１５】
このとき、光ディスク搬送機構１は、トレイ１０の有無に関係なく、トレイ１０を一定量手前（光ディスク搬送機構１側）に引き出し、戻す動作を行い、光ディスク搬送機構１と光ディスク収納棚５での個々の光ディスク（トレイ１０）との位置を決めて位置情報を取得する。この動作では、トレイ１０があればトレイ１０を引き出し、トレイ１０がなければ何も起こらない。この一連の初期化動作終了後、ライブラリ装置８は、図８に示しているように、外部保管用カートリッジ９から光ディスク４を載置した複数のトレイ１０を光ディスク収納棚５に搬送格納して運用を開始する。
【００１６】
次に、ファイルシステムとしての初期使用時に、ライブラリ装置内の光ディスクが仮想化されるが、このとき、ファイルシステムとしての構成設定を行うため、ライブラリ装置８は、接続されている図示しないホストコンピュータ等の上位装置から、デバイスドライバソフトウェアの制御によって、ライブラリ装置内部の個々の光ディスクに対しアクセスが行われる。これにより、トレイ１０は、図８に示しているように、光ディスク収納棚５から光ディスクドライブ６へ自動搬送され、光ディスクドライブ６での光ディスクへのアクセス（読み出し／書き込み）が行われる。
【００１７】
記録面が両面タイプの光ディスクを扱う場合、すでに説明したように、ディスク反転機構７を搭載したライブラリ装置が用いられる。記録面が片面タイプであるか両面タイプであるかは、ユーザが意識した上でファイルシステムを操作し、対象とする光ディスクの記録面がトレイ１０に載っている光ディスクの記録面の反対側の場合、ファイルシステムから対象の光ディスクの記録面側がアクセスされると、記録面が両面タイプの光ディスクを載置したトレイ１０は、光ディスク収納棚５から光ディスクドライブ６へ自動搬送される途中で、一端、ディスク反転機構７に搬送され、光ディスク収納棚５からディスク反転機構７に予め備えられた光ディスクの載っていないトレイ１０に、ディスク反転機構７のドラム機構が回転することにより、光ディスクの載置したトレイ１０から、光ディスクが載っていないトレイ１０へ光ディスクの記録面が反転されて載換えられた後、光ディスクドライブ６へ搬送される。
【００１８】
また、光ディスクドライブ６からトレイ１０を搬送する場合、前述とは逆の手順で、光ディスクの記録面の方向が元に戻され、光ディスク収納棚５の方へトレイ１０が搬送される。
【００１９】
トレイ１０に載置された光ディスクの種別、アクセス属性、記録面の方向は、予めユーザが光ディスクをライブラリ装置外部で目視確認することにより判別して、初期導入時、ライブラリ装置内の光ディスク収納棚５への搬送を行う。そして、ライブラリ装置８は、光ディスクドライブ６で光ディスクへアクセスした時点で初めて、光ディスクの種別、属性、記録面方向の情報を取得する。
【００２０】
なお、異なる種類の光ディスクを搬送する機構と、光ディスクに対する書き込み、読み出しが可能なディスクドライブとを備えたシステムに関する従来技術として、例えば、特許文献１等に記載された技術が知られている。
【００２１】
【特許文献１】
特開２００２−２１６４１１号公報
【００２２】
【発明が解決しようとする課題】
前述した従来技術によるライブラリ装置は、光ディスクの種別、アクセス属性、記録面の方向をユーザが意識して、光ディスク収納棚に格納しなければならず、光ディスクをライブラリ装置内へ導入した後も、複数種の光ディスクを混在使用している場合、個々の光ディスクの種別、属性、記録面の方向をユーザが意識して取り扱わなければならないという問題点を有している。
【００２３】
また、前述の従来技術は、光ディスクドライブが光ディスクへアクセスしたときに、光ディスクの種別、アクセス属性、記録面の方向を判別して取得するため、光ディスクドライブの性能によっては、アクセス時間を多く必要としてしまう場合が生じるという問題点を有している。
【００２４】
また、前述した従来技術は、ユーザの誤操作により、記録面の方向や、アクセス属性を誤って、光ディスクドライブでのアクセスを行った場合に発生するエラーと、光ディスクや光ディスクドライブそのものが原因の障害によるエラーとの判別を自動的に行うことができず、予めユーザが光ディスクの種別、属性、記録面の方向を認識している、あるいは、ライブラリ装置内部から光ディスクを載置したトレイを取り出して、光ディスクそのものを目視により確認しなければ判別することができないという問題点を有している。
【００２５】
さらに、前述した従来技術は、光ディスクドライブでの光ディスクへの書き込みを行う場合に、ディスクの種別に応じた書き込みを行うソフトウェアをユーザが選択し、使い分けなければならないという問題点を有している。
【００２６】
本発明の目的は、前述した従来技術の問題点を解決し、光ディスクドライブが光ディスへアクセスする前に、光ディスクの種別情報が得ることを可能にし、ユーザによる光ディスク種別、アクセス属性、記録面の方向の誤認、誤操作による光ディスクドライブでのアクセスエラーを回避する（誤操作の防止）ことを可能にした光ディスクを扱うライブラリ装置を提供することにある。
【００２７】
また、本発明の目的は、光ディスクの種別、アクセス属性に基づいたデバイスドライバソフトウェアを自動的に選択することが可能な光ディスクを扱うライブラリ装置を提供することにある。
【００２８】
【課題を解決するための手段】
本発明によれば前記目的は、ベアディスク状態の複数種の光ディスクを扱うライブラリ装置において、光ディスクの種別を判定するための判別穴を有する光ディスク載置用のトレイを光ディスクを載置した状態で複数枚収納する光ディスク収納棚と、前記光ディスクに対して記録または再生を行う光ディスクドライブと、光ディスクの搬送時に前記トレイ上の判別穴の有無、及び、光ディスクの中心穴周辺の光透過部分の有無を検出して、光ディスクの種別を判別する光ディスク判別回路を有する光ディスク搬送機構とを備えることにより達成される。
【００２９】
【発明の実施の形態】
以下、本発明によるライブラリ装置の実施形態を図面により詳細に説明する。
【００３０】
図１は本発明の一実施形態によるライブラリ装置の構成の概要を説明する図、図２は光ディスク搬送機構に備えられる光ディスクの種別を判別する光センサについて説明する図である。図１、図２において、２は光センサ、２ａは発光素子部、２ｂは受光素子部、３はトレイ、３ａは光ディスク判別穴、３ｂはアクセス属性判別穴、３ｃはＲＡＭディスク判別穴、３ｄは記録面の方向（片面／両面）判別穴であり、他の符号は図７、図８の場合と同一である。
【００３１】
本発明の実施形態による光ライブラリ装置８は、基本的に、前述で説明した従来技術の場合と同様に構成されており、相違する点は、トレイ３に複数の光ディスク判別穴が設けられている点、及び、搬送機構１に前述の判別穴によりディスク種別を識別するための光センサが備えられている点である。
【００３２】
図１に示すように、本発明の実施形態で使用するトレイ３には、トレイ３に乗せられる光ディスク４の種別判別穴３ａ、アクセス属性（Read Only／ReWritable)判別穴３ｂ、ＲＡＭディスク判別穴３ｃ及び記録面の方向（片面／両面）判別穴３ｄが設けられている。そして、光ディスク４は、これらの判別穴により識別される光ディスクの種別等に従って対応するトレイ３上に載置される。
【００３３】
ライブラリ装置８における光ディスク搬送機構１には、光センサ２が設けられており、光ディスク搬送機構１は、光ディスク４が載置されたトレイ３の搬送中に、光ディスク４の種別等の判別を行う。前述の光センサ２は、図２に示すように、光ディスク搬送機構１に設けられる発光素子部２ａと受光素子部２ｂとにより構成され、光ディスク搬送機構１内に光ディスク４を載置したトレイ３が保持された状態で、トレイ３の判別穴３ａ〜３ｄ及び光ディスク４中心穴周辺に対して光センサ２の発光素子部２ａからの光を照射し、その光の透過を受光素子部２ｂにより検出することにより、光ディスク４の種別の判別を可能とするものである。
【００３４】
このため、光ディスク搬送機構１にある光センサ２の発光素子部２ａは、図２の光ディスク搬送機構１の垂直方向の断面図に示すように、光ディスク搬送機構１内に光ディスク４を載置したトレイ３が保持された状態で、光ディスクの中心穴周辺及びトレイ３上の各判別穴３ａ〜３ｄに対し、発光素子部２ａからの光が通過可能な位置に設けられ、受光素子部２ｂは、発光素子部２ａからの光が捕らえられる位置に設けられ、受光素子部２ｂの出力を検出回路を通して取得する。図３は光ディスク種別を判別する光ディスク種別判別回路の構成を示すブロック図、図４は判別された具体的な光ディスク種別と光センサ２の受光素子部２ｂの出力との対応を説明する図であり、次に、これらについて説明する。図３において、３１は光ディスク種別穴透過光検出回路部、３２は光ディスク種別判定回路部である。
【００３５】
図３に示すように、光ディスク種別判別回路は、光センサ２の発光素子部２ａからの光でトレイ３の各判別穴を通過した光を検出する受光素子部２ｂが出力する信号を検出する光ディスク種別穴透過光検出回路部３１と、該光ディスク種別穴透過光検出回路部３１からの検出出力信号を受けて光ディスク４の種別、アクセス属性、記録面の方向等の各種の情報を取得する光ディスク種別判定回路部３２とにより構成されている。
【００３６】
光ディスク種別判定回路部３２により得られた光ディスクの種別情報は、ライブラリ装置のステータス情報として、光ディスク収納棚５での各光ディスク（トレイ３）の位置情報と共に、ライブラリ装置内あるいは図示しないホストコンピュータ等の上位装置内に格納される。
【００３７】
具体的な光ディスク種別と光センサ２の受光素子部２ｂの出力との対応を図４に示している。本発明の実施形態により識別可能な光ディスク種別は、図４に示すように、ＤＶＤ−ＲＡＭ（両面）、ＤＶＤ−ＲＡＭ（片面）、ＤＶＤ−ＲＷ（両面）、ＤＶＤ−ＲＷ（片面）、ＤＶＤ−Ｒ（片面）、ＤＶＤ−ＲＯＭ（片面）、ＣＤ−ＲＯＭ（片面）、ＣＤ−Ｒ（片面）の８種類である。
【００３８】
これらのディスクの種別は、種別判別穴３ａによりＤＶＤかＣＤか（穴有り＝１のときＤＶＤ）、アクセス属性判別穴３ｂによりＲＷかＲか（穴有り＝１のときＲＷ）、ＲＡＭディスク判別穴３ｃによりＲＡＭかＲ／ＲＯＭか（穴有り＝１のときＲＡＭ）、及び、記録面の方向（片面／両面）判別穴３ｄにより片面か両面か（穴有り＝１のとき両面）を識別することにより判別される。本発明の実施形態では、さらに、光ディスク中心穴周辺が透明部材か否か、すなわち、光が透過するか否か（透過＝０のとき透過）を識別している。これにより、次世代の光ディスクの種類や光ディスクの記録面が両面の光ディスク種別が増えた場合にも対応可能でなる。なお、現在知られている光ディスク中心穴周辺が不透明部材である光ディスクは、ＤＶＤ−ＲＷ（両面）の一種類だけである。
【００３９】
光ディスクの種別は、外部保管用カートリッジ９に光ディスクを保持して外部で保管するとき、トレイ３そのものの判別穴情報を目視することにより確認することができる。また、光ディスクの種別は、外部保管用カートリッジ９をライブラリ装置へセットして運用を開始する場合に、光ディスクを載置したトレイ３を外部保管用カートリッジ９から光ディスク収納棚５への初期投入時の搬送動作において、光ディスク搬送機構１にトレイ３が搬送され保持移動される時点で光センサ２により取得される。これにより、初期投入時の光ディスク収納棚５での光ディスクを載置したトレイ３の位置と光ディスクの種別情報を予めステータス情報として得ることができる。
【００４０】
前述のステータス情報は、上位装置からライブラリ装置がファイルシステムとして初期使用されるときのライブラリ装置内の光ディスクが仮想化される処理において、対象となる光ディスクが選択された時点で、ライブラリ装置のステータス情報として参照される。これにより、上位装置は、対象の光ディスクの記録面、すなわち、ファイルシステム上で指定された面の方向が記録面であるか否かを判定し、光ディスクドライブ６への誤った記録面の方向でのトレイ３の光ディスクドライブ６への搬送を防止することができる。
【００４１】
記録面の方向が妥当であった場合、光ディスクドライブ６への搬送が実施されるが、そのとき、光ディスクのアクセス属性情報より、光ディスクのアクセスに適したデバイスドライバソフトウェアが自動的に選択され、これにより、光ディスクドライブ６でのアクセスが実施される。
【００４２】
図５はライブラリ装置のハードウェア自体で光ディスク種別情報を取得後、ファイルシステムとして使用を開始するまでの処理動作を説明するフローチャートであり、次に、これについて説明する。
【００４３】
（１）ライブラリ装置は、初期投入された光ディスクの種別情報を光ディスクを載せているトレイ３の識別穴により識別して取得する（ステップ５１）。
【００４４】
（２）ライブラリ装置に接続されている上位装置は、ファイルシステムでの初期設定を行い、個々の光ディスクの仮想化を行い、光ディスクの反転処理が必要か否かを判定する（ステップ５２）。
【００４５】
（３）ステップ５２で、光ディスクの反転処理が必要であった場合、光ディスクの記録面の方向（片面／両面）判別穴３ｄが透過状態になっているか否かにより、片面か両面かを判別して光ディスクの記録面の方向反転が可能か否かをチェックし、記録面の方向反転が不可能であった場合、エラーの警告を行う（ステップ５３、５４）。
【００４６】
（４）ステップ５２で、光ディスクの反転処理が必要でなかった場合、または、ステップ５３で光ディスクの記録面の方向反転が可能であった場合、種別判別穴３ａが透過状態となっているか否かにより光ディスクの種別がＣＤであるかＤＶＤであるかを判定する（ステップ５５）。
【００４７】
（５）ステップ５５で、光ディスクの種別がＣＤであると判定された場合、アクセス属性判別穴３ｂが透過状態となっているか否かにより、書き換え可能か否かを判定し、書き換え不可能であれば、光ディスクがＣＤ−ＲＯＭであると判定する。また、書き換え可能であれば、光ディスクがＣＤ−Ｒであると判定する。なお、光ディスクの種類が現在知られている図４に示した種類に限られる場合、ここでの判定は、ＲＡＭディスク判別穴３ｃが透過状態になっているか否かにより行ってもよい（ステップ５６）。
【００４８】
（６）ステップ５５で、光ディスクの種別がＤＶＤであると判定された場合、アクセス属性判別穴３ｂが透過状態となっているか否かにより、書き換え可能か否かを判定する（ステップ５７）。
【００４９】
（７）ステップ５７で、書き換え可能と判定された場合、ＲＡＭディスク判別穴３ｃが透過状態となっているか否かにより、光ディスクがＲＡＭであるか否かを判定し、この判定結果により、光ディスクがＤＶＤ−ＲＡＭである、または、ＤＶＤ−ＲＷであると判定する（ステップ５８）。
【００５０】
（８）ステップ５７で、書き換え不可能と判定された場合、ＲＡＭディスク判別穴３ｃが透過状態となっているか否かにより、光ディスクがＲＡＭであるか否かを判定し、この判定結果により、光ディスクがＤＶＤ−Ｒである、または、ＤＶＤ−ＲＯＭであると判定する（ステップ５９）。
【００５１】
なお、ファイルシステム上での仮想化された個々の光ディスクは、その種別情報を元に、アイコン表示等により区別して表示することが可能となる。
【００５２】
図６は光ディスク載置用トレイ３に設けた光ディスク種別判別のための判別穴の構造の具体例を説明する図であり、次に、これについて説明する。図６において、１１は判別穴を塞ぐシール、１２はノッチ式の判別穴である。
【００５３】
図１、図２に示した光ディスク載置用トレイ３に設けた光ディスク種別判別のための判別穴３ａ〜３ｄは、載置される光ディスクの種類により、各判別穴か開いているか閉じているかを設定する必要がある。図６（ａ）に示す例は、トレイ上に物理的に穴を開け、閉じて置く判別穴を不透明材によるシール１１等を用いて塞ぐようにした例である。また、図６（ｂ）に示す例は、各判別穴をノッチ１２等のスイッチにより構成して開閉可能とした例である。
【００５４】
図６（ａ）、図６（ｂ）に示すような例によれば、ユーザがトレイ３に光ディスク４を載置するときに、光ディスクの種類に応じて判別穴の開閉の状態を容易に設定することができる。
【００５５】
前述した本発明の実施形態によれば、ライブラリ装置内外で光ディスクを置載、保管／搬送するトレイ自体に、光ディスクの種別、アクセス属性、記録面の方向情報の各情報を付加することによって、光ディスクドライブで光ディスへアクセスする前に、光ディスクの種別情報を取得することができるので、ユーザによる光ディスク種別、アクセス属性、記録面の方向の誤認、誤操作による光ディスクドライブでのアクセスエラーを回避する（誤操作の防止）ことができる。
【００５６】
また、本発明の実施形態によれば、光ディスクの載置用トレイ３に、光ディスクの種別、アクセス属性、記録面の方向情報を判別するための穴を設けることにより、従来の外部保管用のカートリッジ及びトレイの形状を変更する必要がないという効果を得ることができる。
【００５７】
また、本発明の実施形態によれば、ライブラリ装置内部での光ディスク搬送機構に光センサを取り付けることにより、ライブラリ装置の外形、内部ユニット構成を従来技術に対して変更する必要がないという効果を得ることができる。
【００５８】
さらに、本発明の実施形態によれば、光ディスク搬送機構の光センサでトレイ上の光ディスク判別穴の有無検出とともに、光ディスクの中心穴周辺の光透過部分の有無を検出するようにしているので、次世代の光ディスクの種別判別や光ディスクの記録面が両面の光ディスク種別が増えた場合にも対応可能であるという効果を得ることができる。
【００５９】
さらに、本発明の実施形態によれば、光ディスクの種別、アクセス属性を判別することができるので、それぞれの光ディスクのアクセスに対応したデバイスドライバソフトウェアを自動的に選択することが可能となるという効果を得ることができる。
【００６０】
【発明の効果】
以上説明したように本発明によれば、光ディスクドライブが光ディスへアクセスする前に、光ディスクの種別情報が得ることができ、ユーザによる光ディスク種別、アクセス属性、記録面の方向の誤認、誤操作による光ディスクドライブでのアクセスエラーを回避する（誤操作の防止）ことができる。また、本発明によれば、光ディスクの種別、アクセス属性に基づいたデバイスドライバソフトウェアを自動的に選択することが可能となる。
【図面の簡単な説明】
【図１】本発明の一実施形態によるライブラリ装置の構成の概要を説明する図である。
【図２】光ディスク搬送機構に備えられる光ディスクの種別を判別する光センサについて説明する図である。
【図３】光ディスク種別を判別する光ディスク種別判別回路の構成を示すブロック図である。
【図４】判別された具体的な光ディスク種別と光センサの受光素子部の出力との対応を説明する図である。
【図５】ライブラリ装置のハードウェア自体で光ディスク種別情報を取得後、ファイルシステムとして使用を開始するまでの処理動作を説明するフローチャートである。
【図６】光ディスク載置用トレイ３に設けた光ディスク種別判別のための判別穴の構造の具体例を説明する図である。
【図７】ベアディスク状態の光ディスクを扱う従来技術によるライブラリ装置の構成の概要を説明する図である。
【図８】図７に示すライブラリ装置内での光ディスクの搬送について説明する図である。
【符号の説明】
１  光ディスク搬送機構
１ａ、１ｂ  支持シャフト
２  光センサ
２ａ  発光素子部
２ｂ  受光素子部
３、１０  トレイ
３ａ  光ディスク判別穴
３ｂ  アクセス属性判別穴
３ｃ  ＲＡＭディスク判別穴
３ｄ  記録面の方向（片面／両面）判別穴
４  光ディスク
５  光ディスク収納棚
６  光ディスクドライブ
７  光ディスク反転機構
８  ライブラリ装置
８ａ  駆動機構
９  外部保管用カートリッジ
１１  判別穴を塞ぐシール
１２  ノッチ式の判別穴
３１  光ディスク種別穴透過光検出回路部
３２  光ディスク種別判定回路部
【図１】
2004199844.tif 000003
【図２】
2004199844.tif 000004
【図３】
2004199844.tif 000005
【図４】
2004199844.tif 000006
【図５】
2004199844.tif 000007
【図６】
2004199844.tif 000008
【図７】
2004199844.tif 000009
【図８】
2004199844.tif 000010